(57)【要約】【課題】開口部から羽根が突出することが防止された画枠開閉装置を提供する。【解決手段】展開状態のときに、最も移動距離が長い先頭の羽根１０以外の羽根、例えば先頭と後尾との中間に位置する羽根９を係止するための係止爪２３を設ける。これにより、羽根９の先端がオーバランすることを防止でき、羽根９がたわむことで開口部３から胴体部が突出することを防止できる。係止爪２３は基板２と一体形成されており、羽根９との衝突による衝撃を軽減するために胴体部が細くなった形状を有している。また、係止爪２３に羽根９以外が接触することを防止するために、本実施形態では目的の羽根９を他の羽根（特に羽根１０）よりも長く構成する。これにより、係止爪２３が羽根９にのみ衝突するように構成することができ、他の羽根が係止爪２３により移動を妨害されることがない。【選択図】          図３
2005017895.tif 000002
【特許請求の範囲】
【請求項１】
複数の羽根を重畳状態から展開状態へ移行するセクタユニットと、前記展開状態時に前記複数の羽根により閉鎖される開口部を有する基板とを含んで構成された画枠開閉装置において、
前記展開状態時に前記複数の羽根における進行方向に対して先頭以外の羽根に当接するストッパ部材を有することを特徴とする画枠開閉装置。
【請求項２】
複数の羽根を重畳状態から展開状態へ移行するセクタユニットと、前記展開状態時に前記複数の羽根により閉鎖される第１の開口部を有する基板と、該基板と所定の間隔を隔てて固定されることで前記セクタユニットを収納するセクタ室を形成する羽根受け板とを含んで構成された画枠開閉装置において、
前記羽根受け板は前記第１の開口部と重畳する領域に第２の開口部を有し、
前記基板および前記羽根受け板の少なくとも一方には、前記展開状態時に前記複数の羽根における進行方向に対して先頭以外の羽根に当接するストッパ部材を有することを特徴とする画枠開閉装置。
【請求項３】
前記ストッパ部材は、胴体部分が前記羽根との当接部分よりも細く形成され弾性変形可能な構成であることを特徴とする請求項１又は２記載の画枠開閉装置。
【請求項４】
前記ストッパ部材は前記基板に一体形成されていることを特徴とする請求項３記載の画枠開閉装置。
【請求項５】
前記ストッパ部材は前記羽根との当接部分が弾性部材で形成されていることを特徴とする請求項１又は２記載の画枠開閉装置。
【請求項６】
前記ストッパ部材は前記羽根を移動させるためのアームと該羽根とがカシメられた部分の反対側の端で該羽根と当接するように設けられていることを特徴とする請求項１から５の何れか１項に記載の画枠開閉装置。
【発明の詳細な説明】
【０００１】
【発明の属する技術分野】
本発明は、画枠開閉装置に関し、特に撮像素子のセル面を保護するシャッタやフォーカルプレーンシャッタ等として機能する画枠開閉装置に関する。
【０００２】
【従来の技術】
従来の銀塩フィルム用のフォーカルプレーンシャッタ（Ｆｏｃａｌ  Ｐｌａｎｅ  Ｓｈｕｔｔｅｒ：以下、ＦＰシャッタと略す）１００の構成を図１に示す。
【０００３】
一般的なＦＰシャッタ１００は、図１に示すような、複数の羽根（セクタともいう）、例えば４枚の羽根１０２ａ，１０２ｂ，１０２ｃ，１０２ｄが図面における上下方向にスライドし、基板１０１に形成された開口部（画枠又はアパーチャともいう）１０１ａを開閉する構成（これをセクタユニットともいう）を、基板１０１の表裏面に有している。但し、図１及び以下の説明では、説明の簡略化のため、基板１０１における一方の面（これを表面とする）に着目する。
【０００４】
図１に示すセクタユニットは、平行に設けられた羽根１０２ａ，１０２ｂ，１０２ｃ，１０２ｄが、羽根止めピン１０３ａ，１０３ｄ，１０４ｂ，１０４ｃ，１０４ｄ，１０５ａ，１０５ｂ，１０５ｃにより、軸部１０６ａ，１０６ｂ，１０６ｃをそれぞれ中心として回動するアーム１０３，１０４，１０５と連結された（カシメられた）構成を有する。アーム１０５を軸部１０６ｃを中心として摺動させることで、羽根１０２ａ，１０２ｂ，１０２ｃ，１０２ｄは平行移動する。
【０００５】
ここで、各アームの軸部（１０６ａ，１０６ｂ，１０６ｃ）と各羽根（１０２ａ，１０２ｂ，１０２ｃ，１０２ｄ）がカシメされている箇所（１０３ａ及び１０５ａ，１０４ｂ及び１０５ｂ，１０４ｃ及び１０５ｃ，１０３ｄ及び１０４ｄ）との距離は、図中矢印の長さのように、羽根１０２ａが最も長く、羽根１０２ｄが最も短いため、アーム１０５の回転による各羽根（１０２ａ，１０２ｂ，１０２ｃ，１０２ｄ）の移動距離は、羽根１０２ａが最も長く、羽根１０２ｄが最も短くなる。従って、開口部１０１ａを遮蔽するように羽根１０２ａ，１０２ｂ，１０２ｃ，１０２ｄが展開した状態（これを展開状態という）からアーム１０５を反時計回りに回動させた場合、各羽根（１０２ａ，１０２ｂ，１０２ｃ，１０２ｄ）は互いに重なりを大きくしつつ、開口部１０１ａ上と重畳する領域を開放するように平行移動する。この動作を開放動作といい、開口部１０１ａを開放するように羽根１０２ａ，１０２ｂ，１０２ｃ，１０２ｄが重畳した状態を重畳状態という。また、重畳状態からアーム１０５を時計回りに回動させた場合、各羽根（１０２ａ，１０２ｂ，１０２ｃ，１０２ｄ）は互いにずれを大きくしつつ、開口部１０１ａ上と重畳する領域を遮蔽するように平行移動する。この動作を遮蔽動作といい、開口部１０１ａを遮蔽するように羽根１０２ａ，１０２ｂ，１０２ｃ，１０２ｄが展開した状態を展開状態という。このように、セクタユニットは各羽根が平行状態を維持しつつ往復運動が可能なように構成された、いわゆる平行リンク機構を成している。
【０００６】
以上のような構成において、基板１０１の表裏面に形成されたセクタユニットのうち一方を展開状態から重畳状態へ移行させ（これを先幕という）、これと所定の時間間隔をずらして他の一方を重畳状態から展開状態へ移行させる（これを後幕という）ことで、受光部（銀塩フィルム）を所望する時間だけ露光するためのスリットを形成することができる。即ち、シャッタを切る動作が実現される。
【０００７】
尚、上記のような構成のセクタユニットは、通常、基板１０１と平行に設けられ、該基板１０１の開口部１０１ａと重畳する領域に開口部１１０ａを有する羽根受け板１１０が形成する空間（以下、セクタ室という）内に収納される。但し、羽根受け板１１０は、スペーサ１１１ａ，１１１ｂ，１１１ｃ，１１１ｄ，１１１ｅによりセクタ室を形成しつつ基板１０１に固定される。
【０００８】
一方、最近のデジタルスチルカメラにおいては、電子シャッタを内蔵したＣＣＤ（Ｃｈａｒｇｅ−Ｃｏｕｐｌｅｄ  Ｄｅｖｉｃｅ）等の撮像素子を採用したものが普及してきた。これは撮像素子自身が露出時間（＝電荷蓄積時間）を制御する機能を持ったものである。
【０００９】
このようなデジタルスチルカメラでは、撮像素子自身がシャッタ機能を有しているため、上述したＦＰシャッタ１００のような、受光面を露出するための機構を必要としない。但し、撮像素子におけるセル面の保護（焼け、ごみ対策）や電荷吐き出し時のスミア防止等を目的として、何らかの保護手段を撮像素子の受光面、即ち従来のＦＰシャッタと同じ位置に配置することが好ましい。そこで従来では、図１に示すようなセクタユニットが基板（図１では基板１０１）の片面にのみ形成されたシャッタ（画枠開閉装置ともいう）を保護手段として、セル面の直前に配置していた。
【００１０】
ところで、上述したような構成のセクタユニットは、羽根１０２ａ，１０２ｂ，１０２ｃ，１０２ｄを展開状態から重畳状態へ移行させた場合、停止時に羽根１０２ａ，１０２ｂ，１０２ｃ，１０２ｄが慣性により進行方向へオーバランし、進行方向と垂直方向の成分を持ったたわみが発生してしまう。同様に、羽根１０２ａ，１０２ｂ，１０２ｃ，１０２ｄを開放状態から遮蔽状態へ移行させた場合も停止時に羽根１０２ａ，１０２ｂ，１０２ｃ，１０２ｄが進行方向にオーバランしてたわみが発生してしまう。このたわみは移動距離が最も長い羽根１０２ａに顕著に見られ、変形による老化や他の部材への接触等により、羽根や他の部材が破損してしまうという問題が発生する。
【００１１】
このような問題を解決する手段としては、羽根の停止位置にたわみを抑えるための度当り部を少なくとも１つ以上設けることが考えられるが、展開状態から重畳状態へ移行した際の停止位置、又は、重畳状態から展開状態へ移行した際の停止位置の何れか一方のみに度当り部を設けた場合、停止時における度当り部との衝突の衝撃により、羽根と羽根止めピンとの磨耗に偏りが発生し、羽根を安定して保持できなくなるという問題が発生する。この問題は、磨耗が生じた部分とそれ以外の部分との露光量に偏りを持たせるため、結果として撮像画像にムラを発生させる要因となる。
【００１２】
そこで従来では、図２に示すＦＰシャッタ２００のように、展開状態から重畳状態へ移行した際の停止位置、及び、重畳状態から展開状態へ移行した際の停止位置の両方にそれぞれ少なくとも１つの度当り部（図２では２１０ａ，２１０ｂ，２１０ｃ，２１０ｄ）を設け、羽根と羽根止めピンとの磨耗に偏りが生じないように工夫している（例えば以下の特許文献１参照）。
【００１３】
【特許文献１】
特開２００２−２４４１７８号公報
【００１４】
【発明が解決しようとする課題】
しかしながら、特に重畳状態から展開状態へ移行する際に生じる生じる羽根のたわみは、最も移動距離が多い羽根に限らず、それ以外の羽根にも発生する問題である。とりわけ、展開時に羽根受け板に設けた開口部から露出する羽根、換言すればアームの中間付近にカシメられた羽根（例えば図２では羽根１０２ｂや１０２ｃに相当）に関しては、羽根受け板と重畳する左右端でしか、進行方向と垂直方向の成分を持つたわみ方向への規制を受けないため、生じたたわみにより羽根の一部が開口部から突出し、他の部材に接触してしまうという問題を発生させる。
【００１５】
この問題は、デジタルスチルカメラやデジタル一眼レフカメラ等のような、撮像素子のセル面に光学フィルタ等の部材を設ける必要のある場合に顕著となる。例えばデジタルスチルカメラでは、セル面上に設けられた光学フィルタの直前又は直後にＦＰシャッタ又は保護手段を設ける必要があるため、はみ出した羽根が光学フィルタと接触し、これらが破損してしまう。また、デジタル一眼レフカメラはレンズを交換できることが前提であり、反射ミラーの配置等も従来の一眼レフカメラと同様であることから、光学フィルタを配置する場所がＦＰシャッタ（又は保護手段）の直前又は直後に限定されており、同様の問題を発生する。更に、デジタル一眼レフカメラは、レンズシャッタを搭載したデジタルスチルカメラよりも撮像素子が大きく、それに伴って開口部の径も大きくなるため、たわみによる羽根のはみ出しが大きくなる。
【００１６】
このような問題を解決する方法としては、例えばたわみにくい羽根を使用するという方法が考えられるが、これは即ち厚い羽根や重い羽根を使用するということであるため、セクタ室が大型化したり、セクタユニットが重くなってしまい、シャッタが低速化してしまうという問題を発生させる。
【００１７】
本発明は、上記のような問題に鑑みてなされたもので、開口部から羽根が突出することが防止された画枠開閉装置を提供することを目的とする。
【００１８】
【課題を解決するための手段】
かかる目的を達成するために、本発明は、請求項１記載のように、複数の羽根を重畳状態から展開状態へ移行するセクタユニットと、前記展開状態時に前記複数の羽根により閉鎖される開口部を有する基板とを含んで構成された画枠開閉装置において、前記展開状態時に前記複数の羽根における進行方向に対して先頭以外の羽根に当接するストッパ部材を有して構成される。展開状態へ移行する際の進行方向に対して先頭以外の羽根、特に中間に位置する羽根は、展開状態で開口部に胴体部分が露出されているため、この羽根のオーバランを防止するようにストッパ部材を設けることで、これがたわむことを抑制できる。従って、この羽根が基板に形成された開口部から突出することを防止でき、羽根や他の部材が破損することを回避できる。
【００１９】
また、本発明は、請求項２記載のように、複数の羽根を重畳状態から展開状態へ移行するセクタユニットと、前記展開状態時に前記複数の羽根により閉鎖される第１の開口部を有する基板と、該基板と所定の間隔を隔てて固定されることで前記セクタユニットを収納するセクタ室を形成する羽根受け板とを含んで構成された画枠開閉装置において、前記羽根受け板は前記第１の開口部と重畳する領域に第２の開口部を有し、前記基板および前記羽根受け板の少なくとも一方には、前記展開状態時に前記複数の羽根における進行方向に対して先頭以外の羽根に当接するストッパ部材を有して構成される。展開状態へ移行する際の進行方向に対して先頭以外の羽根、特に中間に位置する羽根は、展開状態で開口部に胴体部分が露出されているため、この羽根のオーバランを防止するようにストッパ部材を設けることで、これがたわむことを抑制できる。従って、この羽根が羽根受け板に形成された第２の開口部から突出することを防止でき、羽根や他の部材が破損することを回避できる。
【００２０】
また、請求項１又は２記載の前記ストッパ部材は、例えば請求項３記載のように、胴体部分が前記羽根との当接部分よりも細く形成され弾性変形可能な構成でも良い。胴体部分が細く形成されたストッパ部材を適用することで、弾性部材として機能するストッパ部材で羽根を係止することが可能となるため、衝突時の衝撃を軽減することができ、羽根のたわみをより低減できるだけでなく、羽根自体の破損を防止できる。
【００２１】
また、請求項３記載の前記ストッパ部材は、例えば請求項４記載のように、前記基板に一体形成されていてもよい。ストッパ部材を基板と一体形成することで、部品点数の増加を防止でき、製造コストの削減及び製造工程の簡略化を図ることができる。
【００２２】
また、請求項１又は２記載の前記ストッパ部材は、例えば請求項５記載のように、前記羽根との当接部分が弾性部材で形成されていてもよい。ストッパ部材を弾性部材で作製することで、衝突時の衝撃を軽減することができ、羽根のたわみをより低減できるだけでなく、羽根自体の破損を防止できる。
【００２３】
また、請求項１から５の何れか１項に記載の前記ストッパ部材は、請求項７記載のように、前記羽根を移動させるためのアームと該羽根とがカシメられた部分の反対側の端で該羽根と衝突するように設けられていることが好ましい。停止する際にオーバランする部分はアームによりカシメられている側の反対側に顕著に見られる。従って、カシメられた側の反対側の端と衝突するようにストッパ部材を設けることで、より効率的に羽根のオーバランを防止できる。
【００２４】
【発明の実施の形態】
以下、本発明を好適に実施した形態について図面を用いて詳細に説明する。
【００２５】
〔第１の実施形態〕
先ず、本発明の第１の実施形態について図面と共に以下に説明する。図３は本発明の第１の実施形態による画枠開閉装置１の構成（画枠遮蔽時）を示す上面図である。尚、以下の説明では、デジタル一眼レフカメラ等における撮像素子のセル面を保護する目的（保護手段）として使用される画枠開閉装置を例に挙げて説明する。但し、本発明をＦＰ（Ｆｏｃａｌ  Ｐｌａｎｅ）シャッタのようなシャッタに適用することも可能である。
【００２６】
図３に示すように、画枠開閉装置１は、複数の羽根（セクタ）、例えば３枚の羽根８，９，１０が図面における上下方向にスライドし、基板（地板）２に形成された開口部（画枠又はアパーチャ）３を開閉する構成（セクタユニット）を、基板２の何れか一方の面に有する。
【００２７】
図３に示すセクタユニットは、基板２上に設けられた３つのアーム４，５，６と１つの補助アーム７とを含む。アーム４は、基板２に固定（又は一体形成）された軸部１１を支点として摺動可能に設けられており、羽根止めピン１２により羽根８と、また羽根止めピン１３により羽根９と、更に羽根止めピン１４により羽根１０と回転可能にカシメられて連結されている。更にまた、アーム４には、例えば小判形の穴（若しくは溝）が設けられている。この穴（若しくは溝）には、外部のモータ等の駆動機構と連結された駆動レバー２１に設けられた同じく小判形の駆動ピン２１ａが嵌合される。駆動レバー２１は、外部の駆動機構によりギア等を介して反時計回りに回転駆動され、これによりアーム４を反時計回りに回転させる。但し、駆動ピン２１ａが基板２に開けられた軸部１１を中心とする円弧状の溝穴２２に係合されているため、駆動バネ２１はこの円弧に沿った範囲にのみ回転可能となっている。
【００２８】
また、アーム５は、基板２に固定（又は一体形成）された軸部１５を支点として摺動可能に設けられており、ピン１６により補助アーム７と、また羽根止めピン１８により羽根１０と回転可能に連結されている。尚、補助アーム７は、羽根止めピン１３及び１７により羽根９に連結され、また羽根止めピン１３によりアーム４と回転可能に連結されている。従って、アーム４が軸部１１を中心として反時計回りに回動すると、羽根１０及び補助アーム７を介して動力が伝わり、アーム５が軸部１５を中心として反時計回りに回動する。この際、軸部１１及び１５の間隔と羽根止めピン１４及び１８の間隔とが同じで且つ固定であるため、羽根１０は開口部３上を平行移動する。同様に、軸部１１及び１５の間隔と羽根止めピン１３及びピン１６の間隔とが同じで且つ固定であるため、羽根９は開口部３上を平行移動する。尚、アーム４を時計回りに回動させた場合は、この逆となる。
【００２９】
更に、アーム６は、基板２に固定（又は一体形成）された軸部１９を支点として摺動可能に設けられており、羽根止めピン２０により羽根８と回転可能に連結されている。従って、アーム４が軸部１１を中心として反時計回りに回動すると、羽根８を介してアーム６に動力が伝わり、アーム６が軸部１９を中心として反時計回りに回動する。この際、軸部１１及び１９の間隔と羽根止めピン１２及び２０との間隔とが同じで且つ固定であるため、羽根８は開口部３上を平行移動する。尚、アーム４を時計回りに回動させた場合は、この逆となる。
【００３０】
ここで、各軸部（１１，１５，１９）と各羽根（８，９，１０）が連結されている箇所（１４及び１８，１３及び１７（但し実質的に１６），１２及び２０）との距離は、羽根１０が最も長く、羽根８が最も短いため、アーム４の回転による各羽根（８，９，１０）の移動距離は、羽根１０が最も長く、羽根８が最も短くなる。従って、開口部３を閉鎖したセクタユニットの展開状態からアーム４を反時計回りに回動させた場合、各羽根（８，９，１０）は互いに重なりを大きくしつつ、開口部３を開放するように平行移動する。この動作を開放動作といい、開口部３が開放されたセクタユニットの重畳状態を開放状態という。図４に、セクタユニットの重畳状態時の構成を示す。また、この開放状態からアーム４を時計回りに回動させた場合、各羽根（８，９，１０）は互いにずれを大きくしつつ、開口部３上を閉鎖するように平行移動する。この動作を閉鎖動作という。上述のように、閉鎖状態では各羽根（８，９，１０）が展開した状態にあり、開放状態では各羽根（８，９，１０）が重畳した状態にある。尚、図３は、セクタユニットの展開状態時の構成を示している。このように、本実施形態による画枠開閉装置１は、各羽根が平行状態を維持しつつ往復運動することで、展開状態と重畳状態とを遷移する平行リンク機構の構成を有するセクタユニットを有して構成されている。
【００３１】
上記したような構成を有するセクタユニットは、基板２と、少なくとも開口部３と重畳する領域に開口部２７を有する羽根受け板２６と、これを基板２に固定するためのスペーサ２８，２９，３０，３１とで形成される空間（セクタ室）の中に収納されている。
【００３２】
以上のような構成において、セクタユニットを重畳状態から展開状態へ移行させた際、各羽根８，９，１０は、図５（ａ）に示すように、アーム４，５，６にカシメられた側と反対側（これを先端という）が慣性によりオーバランし、たわんだ状態となる。このたわみは、先後端（図面中では左右端）及び上／下端が羽根受け板２６で押さえ付けられている羽根（羽根８，１０に相当）に関して抑制されているが、胴体部の上下端が開口部３（又は２７）から露出している羽根（羽根９に相当）に関しては、先後端のみしか押さえ付けられていないため、図５（ｂ）に示すように、羽根９が開口部３から光軸方向へ突出してしまう。尚、図５（ｂ）は、図５（ａ）のＸ１−Ｘ１断面図である。
【００３３】
このような問題を解決するために、本実施形態では、図３に示すように、セクタユニットが展開状態のときに、最も移動距離が長い羽根１０（これを先頭の羽根という）以外の羽根、例えば先頭と後尾との羽根の中間に位置する羽根９を係止するための係止爪２３を設ける。この係止爪２３は、羽根９のオーバランを防止するストッパ部材として機能するものである。従って、セクタユニットが展開状態へ移行した際に係止爪２３と羽根９とが衝突することで、羽根９の先端がオーバランすることを防止でき、羽根９がたわまず、この結果として開口部３から羽根が突出しない。
【００３４】
ここで、係止爪２３の拡大図を図６に示す。図６に示すように、本実施形態による係止爪２３は基板２と一体形成されており、羽根９との衝突による衝撃を軽減するために胴体部分が羽根９との係止部分よりも細くなった形状を有している。また、係止爪２３に羽根９以外が接触することを防止するために、本実施形態では目的の羽根９を他の羽根（特に羽根１０）よりも長く構成する。これにより、係止爪２３が羽根９にのみ衝突するように構成することができ、他の羽根が係止爪２３により移動を妨害されることがない。係止爪２３を基板２と一体形成することで、画枠開閉装置１の部品点数が増加することを防止できるため、製造コストの増加及び製造工程の煩雑化を防止できる。
【００３５】
更に、本実施形態による係止爪２３は、羽根９の先端で衝突するように設けられている。即ち、停止する際にオーバランする部分は、羽根９の先端側に顕著に見られる。そこで、本実施形態では、このオーバランが顕著となる先端近傍を係止爪２３で係止するように構成することで、効率的に羽根９がオーバランすることを防止する。
【００３６】
また、本実施形態による基板２は、例えばカーボングラファイト入りのポリカーボネイト等のプラスチック材料等で形成することが可能であるが、この他にも一般的に基板として使用される樹脂等であれば如何なるものも適用することが可能である。
【００３７】
以上のように、本実施形態によれば、展開時に進行方向において先頭以外に位置する羽根のオーバランが基板と一体形成された係止爪により抑制できるため、この羽根が開口部から突出して他の部材（光学フィルタ等）と接触することを防止でき、羽根又は他の部材が破損することを防止できる。また、本実施形態では、羽根を硬くする必要もないため、装置の大型化や羽根の低速化を防止できる。尚、展開状態から重畳状態へ移行した際の羽根８，９，１０のオーバランを防止するための構成として、図３又は図４に示すように、停止位置に度当り部２４，２５が設けられている。
【００３８】
また、羽根８，９，１０の重なり方が上述したもの（羽根１０が最も上で羽根８が最も下である場合）と逆である場合（図７（ａ）の羽根８’，９’，１０’参照））、重畳状態から展開状態に移行した際に羽根９’の胴体部が、図７（ｂ）に示すように、開口部２７から突出するが、このような場合も、上記した構成と同様の構成（係止爪２３）で羽根９’の胴体部が開口部２７から突出することを防止できる。尚、図７（ｂ）は、図７（ａ）のＸ２−Ｘ２断面図である。
【００３９】
〔第２の実施形態〕
次に、本発明の第２の実施形態について図面を用いて詳細に説明する。第１の実施形態では、進行方向に対して先頭に位置する羽根以外の羽根のストッパ部材として、基板２と一体形成された係止爪２３を用いた場合を例に挙げていた。但し、本発明はこれに限定されず、この羽根のオーバランを抑制するためのストッパ部材を基板２とは別部材で形成することも可能である。
【００４０】
そこで、本実施形態では、図８に示すように、展開時に先頭以外の羽根と衝突する度当り部４３を基板２とは別の部材で形成し、これを第１の実施形態における係止爪２３と同様の位置に取り付けた。ここで、度当り部４３は、例えば天然ゴムやスチレンゴムやブチルゴムや二トリルゴムやクロロプレンゴムやネオプレンゴムやエチレン・プロピレンゴムやハイパロンやアクリルゴムやウレタンゴムやシリコンゴムやフッ素ゴムやその他、衝撃を吸収できる弾性部材で形成される。
【００４１】
このように、弾性部材で形成された度当り部４３を、展開時に先頭以外の羽根と衝突する位置に設けることで、羽根がオーバランすることを抑制することが可能となり、この羽根が開口部から突出して他の部材（光学フィルタ等）と接触することが回避でき、羽根又は他の部材が破損することを防止できる。尚、他の構成は、第１の実施形態と同様であるため、ここでは説明を省略する。
【００４２】
〔他の実施形態〕
以上、説明した実施形態は本発明の好適な一実施形態にすぎず、本発明はその趣旨を逸脱しない限り種々変形して実施可能である。例えば上記した第１及び第２の実施形態では、画枠開閉装置１を撮像素子の保護手段として構成した場合について図面を用いて説明したが、本発明は上述にもあるように、これに限定されず、本実施形態による画枠開閉装置１を基板２の表裏面に構成してＦＰシャッタ等を作製することも容易に可能である。これにより、シャッタを切った際に撮像素子のセル面やその他の部材に、たわんだ羽根が接触することを防止できる。更に、これを実現するために、羽根を重く又は硬くする必要もないため、装置の大型化や羽根の低速化を防止できる。
【００４３】
【発明の効果】
以上説明したように、本発明によれば、開口部から羽根が突出することを防止できる。
【図面の簡単な説明】
【図１】従来の技術によるＦＰシャッタ１００の構成を示す上面図である。
【図２】従来の技術による度当り部が設けられたＦＰシャッタ２００の構成を示す上面図である。
【図３】本発明の第１の実施形態による画枠開閉装置１の構成（画枠遮蔽時）を示す上面図である。
【図４】本発明の第１の実施形態による画枠開閉装置１の構成（画枠開放時）を示す上面図である。
【図５】係止爪２３を形成していない場合に生じる展開時の羽根９のオーバランを示す図であり、（ａ）はオーバランした際の画枠形成装置１の上面図であり、（ｂ）はそのＸ１−Ｘ１断面図である。
【図６】本発明の第１の実施形態による係止爪２３を拡大した図である。
【図７】図３又は図４に示す画枠開閉装置１における各羽根８，９，１０の重なりを逆とした場合の構成を示す図であり、（ａ）はオーバランした際の画枠形成装置１の上面図であり、（ｂ）はそのＸ２−Ｘ２断面図である。
【図８】本発明の第２の実施形態による度当り部４３を拡大した図である。
【符号の説明】
１  画枠開閉装置
２  基板
３、２７  開口部
４、５、６  アーム
７  補助アーム
８、８’、９、９’、１０、１０’  羽根
１１、１５、１９  軸部
１２、１３、１４、１７、１８、２０  羽根止めピン
１６  ピン
２１  駆動レバー
２１ａ  駆動ピン
２２  溝穴
２３  係止爪
２４、２５、４３  度当り部
２６  羽根受け板
２８、２９、３０、３１  スペーサ
【図１】
2005017895.tif 000003
【図２】
2005017895.tif 000004
【図３】
2005017895.tif 000005
【図４】
2005017895.tif 000006
【図５】
2005017895.tif 000007
【図６】
2005017895.tif 000008
【図７】
2005017895.tif 000009
【図８】
2005017895.tif 000010